(57)【要約】【課題】各種の排水管路設計に対応でき、安価で施工の容易な排水立管用耐火二層管継手を提供すること。【解決手段】合成樹脂製の内管の外周をモルタルで被覆した排水立管用耐火二層管継手を、一端に排水立管が挿入される雌型の接続口を備え、他端に他の継手管部材へ挿入される雄型の接続口を備え、該雌型の接続口にゴムリングを取付けた先端継手管部材２と、中間部に雌型の合流接続口を備え、該一端を他の継手管部材が挿入される雌型の接続口に形成され、他端が他の継手管部材へ挿入可能な雄型の接続口に形成した合流用継手管部材３と、一端に他の継手管部材が挿入される雌型の接続口を備えると共に他端に他の継手管部材に挿入可能な雄型の接続口を備え、該内管に旋回ガイドを設けた旋回ガイド継手管部材４、との組合せ接続により構成した。【選択図】図１
2005282330.tif 000002
【特許請求の範囲】
【請求項１】
合成樹脂製の内管の外周をモルタルで被覆した排水立管用耐火二層管継手を、合成樹脂製の内管の外周をモルタルで被覆した継手管部材であって、該継手管部材の一端に排水立管が挿入される雌型の接続口を備えると共に該継手管部材の他端に他の継手管部材へ挿入される雄型の接続口を備え、該雌型の接続口の内部に漏れ止め用のゴムリングを取付けた先端継手管部材と、合成樹脂製の内管の外周をモルタルで被覆した継手管部材であって、該継手管部材の一端から他端へ至るまでの中間部に他の配管が挿入される雌型の合流接続口を備え、該継手管部材の一端を他の継手管部材が挿入される雌型の接続口に形成すると共に該継手管部材の他端を他の継手管部材へ挿入可能な口径の雄型の接続口に形成した合流用継手管部材と、合成樹脂製の内管の外周をモルタルで被覆した継手管部材であって、該継手管部材の一端に他の継手管部材が挿入される雌型の接続口を備えると共に該継手管部材の他端に他の継手管部材に挿入可能な口径の雄型の接続口を備え、該内管にその内面に沿って排水を旋回させる螺旋状の旋回ガイドを設けた旋回ガイド継手管部材、との組合せ接続により構成したことを特徴とする排水立管用耐火二層管継手。
【請求項２】
前記先端継手管部材、合流用継手管部材および旋回ガイド継手管部材の雄型の接続口は、合成樹脂製の内管をモルタルから露出させて形成したことを特徴とする請求項１に記載の排水立管用耐火二層管継手。
【請求項３】
前記先端継手管部材の雄型の接続口を合流用継手管部材の雌型の接続口に連結し、該合流用継手管部材の雄型の接続口を旋回ガイド継手管部材の雌型の接続口に連結したことを特徴とする請求項１に記載の排水立管用耐火二層管継手。
【請求項４】
前記先端継手管部材の雄型の接続口を旋回ガイド継手管部材の雌型の接続口に連結し、該旋回ガイド継手管部材の雄型の接続口を合流用継手管部材の雌型の接続口に連結したことを特徴とする請求項１に記載の排水立管用耐火二層管継手。
【請求項５】
前記合流用継手管部材および／または旋回ガイド継手管部材を複数個設けたことを特徴とする請求項１に記載の排水立管用耐火二層管継手。
【発明の詳細な説明】
【技術分野】
【０００１】  本発明は、集合住宅やホテル、オフィスなどに設けられる排水立管用耐火二層管継手に関する。
【背景技術】
【０００２】  従来、集合住宅などの各階を貫通して設けられる排水管として、排水の円滑な流通を行える硬質塩化ビニールなどの合成樹脂製の内管にモルタルを被覆して耐火性を高めた耐火二層管が使用されており、このような耐火二層管を立管とする排水設備においては、図１４乃至図１６に示したように、合成樹脂製の内管５１にモルタル５２を被覆した構造を有する耐火二層管継手５３を立管５４、５４の途中に介在させて防火性の排水管路を構成している（特開平９−３１０３８９号公報参照）。【０００３】  この種の耐火二層管継手には、一般的に枝管を接続して合流させるための合流接続口５５が側方に設けられ、排水立管が接続される上方の雌型の接続口５６には、排水立管を伝わる振動を緩衝するとともに水漏れをシールするためのゴムリング５７を取り付け、継手の内壁には、排水を内壁に沿って旋回状態で流下させるための下方へ傾斜した羽根状の旋回ガイド５８が設けられる。
【特許文献１】特開平９−３１０３８９号公報
【発明の開示】
【発明が解決しようとする課題】
【０００４】  ポピュラーな排水管路構成を予想し、これに適した耐火二層管継手は量産されているが、集合住宅などの設計に応じて排水管路の構成が異なり、そのため、合流接続口５５や旋回ガイド５８の高さ位置、合流接続口５５の接続方向などが変化し、モルタルで固められた画一的な構造の耐火二層管継手では対応できないという不都合があった。耐火二層管継手の寸法形状の種類を多くすると、製品単価が高くなり、量産型の耐火二層管継手で対応ができない排水管路の場合は、アダプターを取り付けたり特別注文で製作して設計に適合させており、耐火加工や施工が煩雑で時間も掛かり高価になる欠点があった。【０００５】  本発明は、上記の不都合や欠点を解消し、各種の排水管路設計に対応でき、安価で施工の容易な排水立管用耐火二層管継手を提供することを課題とするものである。
【課題を解決するための手段】
【０００６】本発明では、上記の課題を解決すべく、合成樹脂製の内管の外周をモルタルで被覆した排水立管用耐火二層管継手を、合成樹脂製の内管の外周をモルタルで被覆した継手管部材であって、該継手管部材の一端に排水立管が挿入される雌型の接続口を備えると共に該継手管部材の他端に他の継手管部材へ挿入される雄型の接続口を備え、該雌型の接続口の内部に漏れ止め用のゴムリングを取付けた先端継手管部材と、合成樹脂製の内管の外周をモルタルで被覆した継手管部材であって、該継手管部材の一端から他端へ至るまでの中間部に他の配管が挿入される雌型の合流接続口を備え、該継手管部材の一端を他の継手管部材が挿入される雌型の接続口に形成すると共に該継手管部材の他端を他の継手管部材へ挿入可能な口径の雄型の接続口に形成した合流用継手管部材と、合成樹脂製の内管の外周をモルタルで被覆した継手管部材であって、該継手管部材の一端に他の継手管部材が挿入される雌型の接続口を備えると共に該継手管部材の他端に他の継手管部材に挿入可能な口径の雄型の接続口を備え、該内管にその内面に沿って排水を旋回させる螺旋状の旋回ガイドを設けた旋回ガイド継手管部材、との組合せ接続により構成した。【０００７】  該先端継手管部材、合流用継手管部材および旋回ガイド継手管部材の雄型の接続口は、合成樹脂製の内管をモルタルから露出させて形成し、該先端継手部材の雄型の接続口を合流用継手管部材の雌型の接続口に連結し、該合流用継手管部材の雄型の接続口は旋回ガイド継手管部材の雌型の接続口に連結される。【０００８】  また、該先端継手管部材の雄型の接続口を旋回ガイド継手管部材の雌型の接続口に連結し、該旋回ガイド継手管部材の雄型の接続口を合流用継手管部材の雌型の接続口に連結する構成とすることができ、該合流用継手管部材および／または旋回ガイド継手管部材を複数個設けることもできる。【０００９】  該先端継手管部材、合流用継手管部材および旋回ガイド継手管部材のそれぞれは、モルタル被覆されて耐火性を有しており、一端が雌型で他端が雄型の接続口で構成されているから、一様な方向性でしか接続できず、施工時に各部材の上下の方向を誤ることがなく、各接続口に接着剤を塗布して部材同士を接続することで耐火二層管継手を簡単に施工できる。また、各継手管部材の内管は耐火二層管継手よりも小型で外面に凹凸の少ない比較的シンプルな単一の管形状であるから金型を使用したモルタル被覆を容易に行え、雄型の接続口はモルタル被覆を施さず内管を露出させて形成することで安価に量産が行える。【００１０】  排水管設計に応じて先端継手管部材の次に合流用継手管部材あるいは旋回ガイド管部材を接続するかを選択でき、その設計に適したモルタル耐火被覆を有する管継手を簡単迅速に現場にて施工できる。浴室用排水枝管と台所用排水枝管など複数の枝管のために合流接続口が複数個設けられ、各合流接続口の方向が例えば８０度異なるような排水管設計の場合、従来では特別に耐火性の管継手を製作しなければならなかったが、本発明のものでは、量産された各継手部材の接続時に各合流接続口の方向を調整して接続することで対応できるから、安価で迅速に耐火二層管継手の施工を行える。また、旋回ガイド継手管部���の旋回ガイドの位置も合流接続口の開口位置との関係によって変化するが、これも現場において接続時に管軸方向に回して接続することで自在に調整できる。
【発明の効果】
【００１１】  以上のように本発明では、排水立管用耐火二層管継手を、モルタルで合成樹脂内管が被覆され、一端が雌型で他端が雄型の接続口を有する、先端継手管部材、合流用継手管部材および旋回ガイド継手管部材の３種の継手管部材で構成し、先端継手管部材にはゴムリングを取付け、合流用継手管部材の側方には合流接続口を設け、旋回ガイド継手管部材の管内には管壁に沿うように排水に旋回を与える旋回ガイドを設けたので、枝管の位置や本数、旋回ガイドの位置や個数などは排水管路の設計に適合するように自在に耐火二層管継手の構成を組み上げることができ、上記の３種の継手管部材を量産すればよいので製造コストも安く安価に耐火二層管継手を提供できる。
【発明を実施するための最良の形態】
【００１２】  本発明の実施の形態を別紙図面に基づき説明すると、図１において、符号１は先端継手管部材２と合流用継手管部材３および旋回ガイド継手管部材４を接続して構成した排水立管用耐火二層管継手を示す。【００１３】  該先端継手管部材２の詳細は図２に示す如くであり、硬質塩化ビニールなどの合成樹脂製の内管５の外周が繊維などを混入したモルタル６で被覆され、その一端は排水立管７の端部が挿入できるように雌型の接続口８に形成し、他端は合流用継手管部材３や旋回ガイド継手管部材４などの他の継手管部材へ挿入して接続できるように雄型の接続口９に形成する。そして雌型の接続口８の内部には、リップ１１を有するゴムリング１０を取付け、挿入された排水立管７の周囲の隙間を該リップ１１により密閉して漏れ止めするようにした。雄型の接続口９は、内管５の他端をモルタルで被覆しないで露出させることにより形成される。モルタル６の被覆は、内管５の周囲に隙間を存して金型で覆い、その隙間にモルタルを圧入したのち脱型し、モルタルが硬化するまでしばらく養生することにより形成される。【００１４】  継手管合流用継手管部材３の詳細は図３に示す如くであり、硬質塩化ビニールなどの合成樹脂製の内管１２の一端から他端へ至るまでの中間部に、横配管などの他の配管１５が接続される雌型の合流接続口１３を設け、この内管１２の外周を繊維を混入したモルタル１４で被覆し、その一端を先端継手管部材２や旋回ガイド継手管部材４などの他の継手管部材が挿入される雌型の接続口１６に形成すると共に他端を旋回ガイド継手管部材４などの他の継手管部材へ挿入可能な口径を有する雄型の接続口１７に形成した。この雄型の接続口１７は、前記した先端継手管部材２の雄型接続口９と同様にモルタル１４の被覆を施さず内管１２を露出させることで形成した。【００１５】  図４及び図５は旋回ガイド継手管部材４の詳細を示し、硬質塩化ビニールなどの合成樹脂製の内管１８の外周を繊維を混入したモルタル１９で被覆し、その一端を先端継手管部材２や合流用継手管部材３の他の継手管部材が挿入される雌型の接続口２０に形成すると共に他端を合流用継手管部材３などの他の継手管部材に挿入可能な口径の雄型の接続口２１に形成する。該内管１８の内面には、管内を流下する排水をその内面に沿って旋回させるための螺旋状の旋回ガイド２２が設けられる。この旋回ガイド２２の形状や機能は従来のものと特に異ならない。この旋回ガイド継手管部材４や合流用継手管部材３のモルタル被覆も金型を使用してモールドすることができ、比較的安価に製作できる。【００１６】  図１に示す排水立管用耐火二層管継手１は、以上の構成の各継手管部材２、３、４の雌雄の接続口を接着剤により接合することで得られるが、この標準的な構成以外に図６ないし図１３に示す継手を構成することができる。したがって、３種の継手管部材２、３、４を量産することで、各種の排水管路設計に適した排水立管用耐火二層管継手を安価且つ迅速に施工できる。【００１７】  図６の例では旋回ガイド２２が合流接続口１３の上方に位置して設けられ、旋回ガイド２２は合流接続口１３から流入する排水と先端継手管部材２内を流れる排水との干渉を避けるように作用し、排水効率が高められる。【００１８】  図７ないし図１２の例は、合流用継手管部材３を２個設け、各合流接続口１３の管軸を、耐火二層管継手の上方から見て９０°ずらして設けた場合の実施例を示し、図７に示すものは合流接続口１３、１３を接近して設け、旋回ガイド継手管部材４をこれら合流接続口１３の上流側にしてその旋回ガイド２２により先端継手管部材２内を流れる排水とこれらの合流接続口１３から流入する排水との干渉を避けるようにしたものである。【００１９】  図８は、９０°位置ずれさせた２つの合流接続口１３の中間に旋回ガイド２２が位置するように２個の合流用継手管部材３と１個の旋回ガイド継手管部材４を先端継手管部材２に接続した例を示し、下方の合流接続口１３に流入する排水とその上方から流下する排水との干渉を旋回ガイド２２で避けるようにしたもので、下方の合流接続口１３から大量の排水が流入する場合に干渉を避けて流下効率を高めることができる。【００２０】  図９の例は、先端継手管部材２に、方向が９０°位置ずれした２個の合流用継手管部材３と旋回ガイド継手管部材４を順次に接続したもので、旋回ガイド２２は耐火二層管継手１から流出する排水に旋回を与える。【００２１】  耐火二層管継手１の内部で排水に十分な旋回を与えるため、図１０ないし図１２に示すように２個の旋回ガイド継手管部材４を使用する構成も特別の部品を使用しないで完成できる。旋回ガイド２２を上下の合流接続口１３、１３の間に介在させた図１０や図１２のような構成とすれば、合流接続口１３、１３の方向が位置ずれしない同方向であっても排水の干渉を避けることができる。【００２２】  なお、合流接続口１３が１個の場合でも、図１３に示したように、その上下に旋回ガイド２２を配置することもできる。また、合流接続口同士の位置ずれの角度や旋回ガイドの位置は、排水管路の設計に適合するように任意にセットできる。本発明の立管排水用耐火二層管継手１の下方の接続口は雄型であり、通常の耐火二層管の立管の端部も雄型であるため、両者の接続には両端が雌型に形成された通常の受け口部材を介在させて接続する。
【図面の簡単な説明】
【００２３】
【図１】本発明の実施の形態を示す截断側面図
【図２】図１の先端継手管部材の拡大断面図
【図３】図１の合流用継手管部材の拡大断面図
【図４】図１の旋回ガイド継手管部材の拡大断面図
【図５】図４の平面図
【図６】先端継手管部材の次に旋回ガイド継手管部材と合流用継手管部材を順次接続した状態の継手の断面図
【図７】先端継手管部材の次に旋回ガイド継手管部材と２個の合流用継手管部材を順次接続した状態の継手の断面図
【図８】先端継手管部材に合流用継手管部材、旋回ガイド継手管部材、合流用継手管部材を順次接続した状態の継手の断面図
【図９】先端継手管部材に２つの合流用継手管部材と旋回ガイド継手管部材を順次接続した状態の継手の断面図
【図１０】先端継手管部材に２つの旋回ガイド継手管部材と２つの合流用継手管部材を交互に接続した状態の継手の断面図
【図１１】先端継手管部材に旋回ガイド継手管部材と２つの合流用継手管部材と旋回ガイド継手管部材を交互に接続した状態の継手の断面図
【図１２】先端継手管部材に２つの合流用継手管部材と２つの旋回ガイド継手管部材を交互に接続した状態の継手の断面図
【図１３】先端継手管部材の次に旋回ガイド継手管部材、合流用継手管部材および旋回ガイド継手管部材を順次接続した状態の継手の断面図
【図１４】従来の立管排水用耐火二層管継手の断面図
【図１５】図１４の縦断面図
【図１６】図１４の１６−１６線に沿った断面図
【符号の説明】
【００２４】１  排水立管用耐火二層管継手、２  先端継手管部材、３  合流用継手管部材、４  旋回ガイド継手管部材、５・１２・１８  内管、６・１４・１９  モルタル、７  排水立管、８・１６・２０  雌型の接続口、９・１７・２１  雄型の接続口、１０  ゴムリング、１３  合流接続口、２２  旋回ガイド、
【図１】
2005282330.tif 000003
【図２】
2005282330.tif 000004
【図３】
2005282330.tif 000005
【図４】
2005282330.tif 000006
【図５】
2005282330.tif 000007
【図６】
2005282330.tif 000008
【図７】
2005282330.tif 000009
【図８】
2005282330.tif 000010
【図９】
2005282330.tif 000011
【図１０】
2005282330.tif 000012
【図１１】
2005282330.tif 000013
【図１２】
2005282330.tif 000014
【図１３】
2005282330.tif 000015
【図１４】
2005282330.tif 000016
【図１５】
2005282330.tif 000017
【図１６】
2005282330.tif 000018